(57)【要約】【課題】配管の配設作業の際の作業効率の低下を招くことのない配管支持具を提供する。【解決手段】建造物の床下に配設される配管を支持する配管支持具１０において、建造物の床下における設置面に設置される基板１１、基板１１の上で互いに対向して立設される一対の基軸２０、２０、一対の基軸２０、２０の間において設置面から任意の高さ位置で架設されて配管を支持する支持部３０、基板１１に設けられて基板１１に対して水平方向に回転する補助基板１５を備える。【選択図】図１
0003210481.tif 000002
【実用新案登録請求の範囲】
【請求項１】
建造物の床下に配設される配管を支持する配管支持具において、
前記建造物の前記床下における設置面に設置される基板と、
該基板の上で互いに対向して立設される一対の基軸と、
該一対の基軸の間において前記設置面から任意の高さ位置で架設されて前記配管を支持する支持部と、
前記基板に設けられて該基板に対して水平方向に回転する補助基板と、
を備えることを特徴とする配管支持具。
【請求項２】
建造物の床下における設置面に設置される基板と、
該基板の上で互いに対向して立設される一対のボルト軸と、
該一対のボルト軸が挿通される挿通孔が形成された両端部、及び該両端部の間が下方に湾曲した湾曲部を有し、前記一対のボルト軸の間において前記設置面から任意の高さ位置で架設される下方支持部と、
前記一対のボルト軸が挿通される挿通孔が形成された両端部、及び該両端部の間が上方に湾曲した湾曲部を有し、前記一対のボルト軸の間において前記下方支持部の上方に架設される上方支持部と、を備え、
前記建造物の前記床下に配設される配管が前記下方支持部と前記上方支持部とによって支持される配管支持具において、
前記基板に設けられて該基板に対して水平方向に回転する補助基板を備えることを特徴とする配管支持具。
【請求項３】
前記基板は、
互いに対向する第１辺及び互いに対向する第２辺を有して前記第２辺が前記第１辺に対して長尺の平面視略矩形に形成され、かつ前記補助基板の回転中心を介して前記第２辺の互いに対向する両辺において一対の凹部が前記回転中心に対してオフセットして形成され、
該凹部は、両端部を有するように前記基板が切り欠かれて形成され、
前記補助基板は、
前記基板に対して水平方向に回転して前記基板に対する回転角度がαとなった際に前記一対の凹部における回転方向前方側の端部に当接して回転方向前方側への回転が規制されることを特徴とする請求項１または２に記載の配管支持具。
【請求項４】
前記補助基板の回転方向前方側への回転が規制される前記基板に対する回転角度αが９０°に設定されたことを特徴とする請求項３に記載の配管支持具。
【考案の詳細な説明】
【技術分野】
【０００１】
本考案は、配管支持具、特に、建造物の床下に配設される配管を支持する配管支持具に関する。
【背景技術】
【０００２】
建造物に配設される配管は、一般的に、配管支持具によって支持されて建造物に配設される。特に、屋内からの排水を流下させる配管は、一般的に、複数の配管支持具によって支持されて、床下において取り回されて配設される（例えば、特許文献１を参照）。
【０００３】
この種の配管支持具としては、例えば、図６の配管支持具の概略を説明する斜視図で示すように、建造物の床下の設置面Ｇにねじ等によって固定されて設置される基板１０１、この基板１０１の上で対向して立設される一対のボルト軸１０２、及びそれぞれのボルト軸１０２、１０２に係合するナット１０４を介して一対のボルト軸１０２、１０２の間に架設されて配管を支持する支持部１０３を主要構成として有する配管支持具１００が知られている。
【０００４】
支持部１０３は、帯状の金属製であって、対称的に形成されて上下方向で対向して配置される一対の第１支持部１０３Ａ及び第２支持部１０３Ｂによって構成され、下側に配置される第１支持部１０３Ａに対して、第２支持部１０３Ｂが上側に配置される。
【０００５】
第１支持部１０３Ａ及び第２支持部１０３Ｂは、その中央部分が湾曲して配管の外周に倣った形状に形成された配管支持部１０３ａを有する。これら第１支持部１０３Ａ、及び第２支持部１０３Ｂが順に上下方向に配置されることによって、第１支持部１０３Ａの配管支持部１０３ａと第２支持部１０３Ｂの配管支持部１０３ａとによって、設置面Ｇから任意の高さ位置で配管が支持される。
【先行技術文献】
【特許文献】
【０００６】
【特許文献１】特開平９−３２４８７７公報
【考案の概要】
【考案が解決しようとする課題】
【０００７】
ところで、床下において、配管支持具１００を用いて配管の配設作業を行う場合は、設置面Ｇに基板１０１をねじ等によって固定して設置する前に、設置面Ｇの上で配管支持具１００を配置する箇所において仮の位置決めを行い、位置決めされた仮の箇所において配管を支持させて、長尺の配管を支持する箇所の調整を行う。
【０００８】
しかし、基板１０１を設置面Ｇに固定しないで配管の支持位置の調整をすると、配管は長尺であることから、配管支持具１００は引きつられて転倒してしまうことが想定される。転倒した配管支持具１００を改めて立て直して配管の支持位置の調整を行うとなれば、作業効率が低下することが懸念される。
【０００９】
本考案は、上記事情に鑑みてなされたものであり、配管の配設作業の際の作業効率の低下を招くことのない配管支持具を提供することを課題とするものである。
【課題を解決するための手段】
【００１０】
上記課題を解決するための請求項１に記載の考案による配管支持具は、建造物の床下に配設される配管を支持する配管支持具において、前記建造物の前記床下における設置面に設置される基板と、該基板の上で互いに対向して立設される一対の基軸と、該一対の基軸の間において前記設置面から任意の高さ位置で架設されて前記配管を支持する支持部と、前記基板に設けられて該基板に対して水平方向に回転する補助基板と、を備えることを特徴とする。
【００１１】
この構成によれば、補助基板が基板に対して水平方向に回転可能に形成されていることから、補助基板を回転させて基板と交差する位置に位置決めすることによって、配管支持具が建造物の床下の設置面上において安定的に配設される。
【００１２】
したがって、支持部において建造物の床下に配設される配管を支持させる際に、配管を長尺方向に動かして、配管支持具による配管の長尺方向における支持位置を調整しても、配管支持具が配管の動きに引きつられて転倒することがなく、支持部に支持された配管が安定的に支持されることから、配管の配設作業の作業効率の低下を招来することがない。
【００１３】
上記課題を解決するための請求項２に記載の考案による配管支持具は、建造物の床下における設置面に設置される基板と、該基板の上で互いに対向して立設される一対のボルト軸と、該一対のボルト軸が挿通される挿通孔が形成された両端部、及び該両端部の間が下方に湾曲した湾曲部を有し、前記一対のボルト軸の間において前記設置面から任意の高さ位置で架設される下方支持部と、前記一対のボルト軸が挿通される挿通孔が形成された両端部、及び該両端部の間が上方に湾曲した湾曲部を有し、前記一対のボルト軸の間において前記下方支持部の上方に架設される上方支持部と、を備え、前記建造物の前記床下に配設される配管が前記下方支持部と前記上方支持部とによって支持される配管支持具において、前記基板に設けられて該基板に対して水平方向に回転する補助基板を備えることを特徴とする。
【００１４】
この構成によれば、補助基板が基板に対して水平方向に回転可能に形成されていることから、補助基板を回転させて基板と交差する位置に位置決めすることによって、配管支持具が建造物の床下の設置面上において安定的に配設される。
【００１５】
したがって、建造物の床下に配設される配管を、下方支持部の湾曲部を介して支持させる際に、配管を長尺方向に動かして、配管支持具による配管の長尺方向における支持位置を調整しても、配管支持具が配管の動きに引きつられて転倒することがなく、下方支持部に支持された配管が安定的に支持されることから、配管の配設作業の作業効率の低下を招来することがない。
【００１６】
請求項３に記載の考案による配管支持具は、請求項１または２に記載の配管支持具において、前記基板は、互いに対向する第１辺及び互いに対向する第２辺を有して前記第２辺が前記第１辺に対して長尺の平面視略矩形に形成され、かつ前記補助基板の回転中心を介して前記第２辺の互いに対向する両辺において一対の凹部が前記回転中心に対してオフセットして形成され、該凹部は、両端部を有するように前記基板が切り欠かれて形成され、前記補助基板は、前記基板に対して水平方向に回転して前記基板に対する回転角度がαとなった際に前記一対の凹部における回転方向前方側の端部に当接して回転方向前方側への回転が規制されることを特徴とする。
【００１７】
この構成によれば、補助基板の基板に対する水平方向への回転が回転角度αとなった際に、長尺に形成された基板の第２辺の互いに対向する両辺においてオフセットして形成された一対の凹部の回転方向前方側の端部に補助基板が当接することによって、回転が規制される。したがって、補助基板を、基板と交差する所望の回転角度αに容易に位置決めすることができる。
【００１８】
請求項４に記載の考案による配管支持具は、請求項３に記載の配管支持具において、前記補助基板の回転方向前方側への回転が規制される前記基板に対する回転角度αが９０°に設定されたことを特徴とする。この構成によれば、補助基板の基板に対する回転角度が９０°に設定されていることから、基板をより安定的に設置面に配設することができる。
【考案の効果】
【００１９】
この考案によると、配管の配設作業の際に、配管支持具が配管の動きに引きつられて転倒することがなく、支持部に支持された配管が安定的に支持されることから、作業効率の低下を招来することがない。
【図面の簡単な説明】
【００２０】
【図１】本考案の第１実施の形態に係る配管支持具の概略を説明する斜視図である。
【図２】同じく、本実施の形態に係る配管支持具の概略を説明する正面図である。
【図３】同じく、本実施の形態に係る配管支持具の基板及び補助基板の概略を説明する図である。
【図４】同じく、本実施の形態に係る配管支持具の補助基板の使用状態の概略を説明する図である。
【図５】本考案の第２実施の形態に係る配管支持具の基板及び補助基板の概略を説明する図である。
【図６】従来の配管支持具の概略を説明する斜視図である。
【考案を実施するための形態】
【００２１】
次に、本考案の実施の形態について、図１〜図５に基づいて説明する。
【００２２】
（第１実施の形態）
図１は、本実施の形態に係る配管支持具の概略を説明する斜視図、図２は、配管支持具の概略を説明する正面図、図３は、配管支持具における基板の概略を説明する図である。配管支持具１０は、本実施の形態では、図示しない建造物の床下に配設される配管を支持する構造物である。
【００２３】
この配管支持具１０は、図示のように、建造物の床下の設置面Ｇに設置される基板１１、基板１１の上で互いに対向して立設される一対の基軸であるボルト軸２０、２０、この一対のボルト軸２０、２０の間において設置面Ｇから任意の高さ位置で架設されて配管を支持する支持部３０を主要構成として備える。
【００２４】
基板１１は、本実施の形態では、上部１１Ａ及び上部１１Ａの端縁から下方に屈曲して傾斜する脚部１１Ｂを備えた平面視略矩形の板金製であって、脚部１１Ｂの端縁に、互いに対向する第１辺である縦辺１１ａ、１１ａ、及び互いに対向する第２辺である横辺１１ｂ、１１ｂが設定される。
【００２５】
この基板１１は、横辺１１ｂ、１１ｂが縦辺１１ａ、１１ａに対して長尺に形成され、ボルト軸２０、２０が嵌合されるボルト孔１２、１２、及び基板１１を設置面Ｇに固定する図示しないボルトが嵌合される固定孔１３、１３が形成されている。
【００２６】
基板１１の横辺１１ｂ、１１ｂの互いに対向する両辺のほぼ中央部分には、脚部１１Ｂが切り欠かれることによって、凹部１４、１４が互いに対向して形成されている。
【００２７】
この基板１１には、本実施の形態では、補助基板１５が設けられている。補助基板１５は、図３（ａ）で示すように、互いに対向する補助基板縦辺１５ａ、１５ａ、及び互いに対向する補助基板横辺１５ｂ、１５ｂを有する平面視略矩形に形成されている。
【００２８】
この補助基板１５は、本実施の形態では、リベット１５ｃによって基板１１に設けられており、図３（ｂ）で示すように、基板１１に対して水平方向に回転するように形成されている。
【００２９】
本実施の形態では、補助基板１５の補助基板縦辺１５ａ、１５ａが基板１５の縦辺１１ａ、１１ａと平行であって、補助基板横辺１５ｂ、１５ｂが基板１５の横辺１１ｂ、１１ｂと一致する図３（ａ）で示した位置が、補助基板１５の初期位置として設定される。
【００３０】
一方、補助基板１５が基板１１に対して水平方向に回転して基板１１と交差する位置、本実施の形態では基板１１に対する補助基板１５の回転角度が９０°となる図３（ｂ）で示した位置が、補助基板１５による設置位置として設定される。
【００３１】
一対のボルト軸２０、２０には、雄ねじが形成されており、基板１１に形成されたボルト孔１２、１２に嵌合され、ボルト軸２０、２０がボルト孔１２、１２に嵌合された状態で、ナット２１、２１がボルト軸２０、２０に嵌合されて締結されることにより、ボルト軸２０、２０が基板１１に強固に取り付けられる。
【００３２】
このボルト軸２０、２０には、本実施の形態では、係合ナット２２、２２が嵌合され、この係合ナット２２、２２に支持部３０が係合されて、係合ナット２２、２２がボルト軸２０、２０に係合する高さ位置に応じて、支持部３０が設置面Ｇから離間した位置において、支持部３０が一対のボルト軸２０、２０の間に架設される。
【００３３】
支持部３０は、本実施の形態では、下方支持部３１、下方支持部３１の上方に架設される上方支持部３２、及び下方支持部３１と上方支持部３２とを締結する締結ナット３３によって構成される。
【００３４】
下方支持部３１は、ボルト軸２０、２０が挿通される挿通孔が形成された平板状の両端部３１ａ、３１ａ、及び両端部３１ａ、３１ａの間で下方に湾曲する湾曲部３１ｂを有して形成される。
【００３５】
上方支持部３２は、ボルト軸２０、２０が挿通される挿通孔が形成された平板状の両端部３２ａ、３２ａ、及び両端部３２ａ、３２ａの間で上方に湾曲する湾曲部３２ｂを有して形成される。
【００３６】
一方、締結ナット３３は、下方支持部３１と上方支持部３２とによって配管が挟持された状態で、一対のボルト軸２０、２０に嵌合されて下方支持部３１と上方支持部３２とを締結する。
【００３７】
このような配管支持具１０を用いて、建造物の床下に配管を配設する場合は、配管支持具１０によって長尺の配管を支持する設置面Ｇ上の位置に、複数の配管支持具１０を予め配設する。
【００３８】
配管支持具１０を設置面Ｇ上に配設する際には、図４で示すように、補助基板１５を、図３（ａ）で示した初期位置から図３（ｂ）で示した設置位置に位置決めして、基板１１において設置面Ｇに配設する。
【００３９】
その後、配管支持具１０の支持部３０において、配管を支持させる。具体的には、図２で示すように、設置面Ｇからの一対のボルト軸２０、２０における任意の高さ位置ｈにおいて、係合ナット２２、２２をボルト軸２０、２０に嵌合させる。
【００４０】
しかる後、ボルト軸２０、２０が挿通される挿通孔を介して下方支持部３１をその両端部３１ａ、３１ａにおいて係合ナット２２、２２に係合させて、下方支持部３１を設置面Ｇから任意の高さ位置で一対のボルト軸２０、２０の間で架設させる。
【００４１】
一対のボルト軸２０、２０の間に架設された下方支持部３１の湾曲部３１ｂに配管を配置し、配管の周面における下部側を下方支持部３１の湾曲部３１ｂに接触させる。
【００４２】
このとき、長尺の配管を支持する設置面Ｇ上の位置に配設された、複数の配管支持具１０による配管の長尺方向における支持位置が調整される。その際、本実施の形態では、補助基板１５が、基板１１に対して回転角度で９０°となる設置位置に位置決めされている。
【００４３】
その後、設置面に配置された基板１１の固定孔１３、１３にボルトを挿入して締結することによって、基板１１が設置面Ｇに固定される。基板１１を設置面Ｇに固定する際には、補助基板１５を初期位置に戻してもよいが、設置位置に位置決めした状態のままであってもよい。
【００４４】
基板１１を設置面Ｇに固定した後、両端部３２ａ、３２ａに形成された挿通孔を介して上方支持部３２を下方支持部３１の上方から一対のボルト軸２０、２０の間に架設し、配管の周面における上部側を上方支持部３２の湾曲部３２ｂに接触させる。
【００４５】
この状態で、一対のボルト軸２０、２０に締結ナット３３を嵌合して締めつけることによって、下方支持部３１と上方支持部３２とが強固に締結され、下方支持部３１と上方支持部３２とによって配管が挟持保持される。すなわち、支持部３０によって、配管が支持される。
【００４６】
このように、本実施の形態の配管支持具１０によれば、補助基板１５が基板１１に対して水平方向に回転可能に形成されていることから、初期位置から基板１１と交差する設置位置に位置決めすることによって、配管支持具１０が建造物の床下の設置面Ｇ上において安定的に配設される。
【００４７】
したがって、配管を長尺方向に動かして、配管支持具１０による配管の長尺方向における支持位置を調整しても、配管支持具１０が配管の動きに引きつられて転倒することがなく、下方支持部３１に支持された配管が安定的に支持されることから、配管の配設作業の作業効率の低下を招来することがない。
【００４８】
（第２実施の形態）
次に、本考案の第２実施の形態について、図５を参照して説明する。なお、図５において、第１実施の形態と同様の構成には同一の符号を付して、その詳細な説明を省略する。
【００４９】
図５は、本実施の形態に係る配管支持具の基板及び補助基板の概略を説明する図であって、（ａ）は補助基板が初期位置に位置決めされている状態、（ｂ）は補助基板が設置位置に位置決めされている状態を示す図である。
【００５０】
図５（ａ）で示すように、基板５１は、本実施の形態では、上部５１Ａ及び上部５１Ａの端縁から下方に屈曲して傾斜する脚部５１Ｂを備えた平面視略矩形の板金製であって、脚部５１Ｂの端縁に、互いに対向する第１辺である縦辺５１ａ、５１ａ、及び互いに対向する第２辺である横辺５１ｂ、５１ｂが設定される。
【００５１】
この基板５１は、横辺５１ｂ、５１ｂが縦辺５１ａ、５１ａに対して長尺に形成され、ボルト軸２０、２０が嵌合されるボルト孔５２、５２、及び基板５１を設置面Ｇに固定する図示しないボルトが嵌合される固定孔５３、５３が形成されている。
【００５２】
基板５１の横辺５１ｂ、５１ｂの互いに対向する両辺には、本実施の形態では、基板５１に対して水平方向に回転可能に設けられる後述する補助基板５５の回転中心Ｃを介して、脚部５１Ｂが切り欠かれることによって、両端部５４ａ、５４ａを有する凹部５４、５４が互いにオフセットして形成されている。
【００５３】
補助基板５５は、図５（ａ）で示すように、互いに対向する補助基板縦辺５５ａ、５５ａ、及び互いに対向する補助基板横辺５５ｂ、５５ｂを有する平面視略矩形に形成されている。
【００５４】
この補助基板５５は、本実施の形態では、リベット５５ｃによって基板５１に設けられており、図５（ｂ）で示すように、基板５１に対して水平方向に回転するように形成されている。
【００５５】
本実施の形態では、補助基板５５の補助基板縦辺５５ａ、５５ａが基板５５の縦辺５１ａ、５１ａと平行であって、補助基板横辺５５ｂ、５５ｂが基板５５の横辺５１ｂ、５１ｂと一致する図５（ａ）で示した位置が、補助基板５５の初期位置として設定される。
【００５６】
この補助基板５５の初期位置から、矢線Ｒで示す水平方向における回転方向前方に補助基板５５を回転させると、互いに対向する補助基板横辺５５ｂ、５５ｂの一方側の補助基板横辺５５ｂが、基板５１の横辺５１ｂ、５１ｂの互いに対向する両辺にオフセットして設けられた一方側の凹部５４の回転方向前方Ｒ側の端部５４ａに当接する。
【００５７】
一方、互いに対向する補助基板横辺５５ｂ、５５ｂの他方側の補助基板横辺５５ｂが、基板５１の横辺５１ｂ、５１ｂの互いに対向する両辺にオフセットして設けられた他方側の凹部５４の回転方向前方Ｒ側の端部５４ａに当接する。
【００５８】
これにより、補助基板５５の回転方向前方Ｒ側への回転が規制され、補助基板５５が基板５１に対して水平方向に回転して基板５１と交差する位置、本実施の形態では基板５１に対する補助基板５５の回転角度が９０°となる図５（ｂ）で示した位置が、補助基板５５による設置位置として設定される。
【００５９】
このように、本実施の形態では、補助基板５５の基板５１に対する水平方向への回転が、基板５１に対してほぼ９０°の回転角度で規制される。したがって、補助基板５５の設置位置への位置決めを容易に行うことができる。
【００６０】
しかも、補助基板５５の基板５１に対する回転角度がほぼ９０°に設定されることによって、基板５１がより安定して設置面Ｇに配設される。したがって、配管の長尺方向における支持位置の調整の際に、配管の動きに引きつられた配管支持具１０の転倒がより生じにくくなる。
【００６１】
なお、本考案は上記実施の形態に限定されることはなく、考案の趣旨を逸脱しない範囲で種々変更可能である。上記実施の形態では、支持部３０の下方支持部３１及び上方支持部３２にそれぞれ湾曲部３１ｂ、３２ｂが形成されている場合を説明したが、支持される配管の断面形状に応じた形状の支持部３０を採用することができる。
【符号の説明】
【００６２】
１０    配管支持具
１１、５１    基板
１４、５４    凹部
１５、５５    補助基板
２０    ボルト軸（基軸）
３０    支持部
３１    下方支持部
３２    上方支持部
５４ａ    端部
Ｇ    設置面
【図１】
0003210481.tif 000003
【図２】
0003210481.tif 000004
【図３】
0003210481.tif 000005
【図４】
0003210481.tif 000006
【図５】
0003210481.tif 000007
【図６】
0003210481.tif 000008